(57)【要約】【課題】商品、イラスト、人物、キャラクター、文字、記号等の所望の立体物の固有する特徴的な立体造形を視覚的にリアルに三次元的な実在感を以って実物そっくりに印象深く感得させることのできるように当該所望の立体物の形態を立体的に表現して、きわめて高い広告宣伝等の告知効果を期待し得る新規な立体的広告等表示用具を提供する【解決手段】ポリオレフィン系合成樹脂を素材とする熱可塑性軟質合成樹脂シート１を用い、該熱可塑性軟質合成樹脂シート１におけるシート面上の所定部位に、商品、イラスト、人物、キャラクター、文字、記号等の所望の立体物が固有する立体造形を立体的に転写具現して立体的加工成形部３を凸状成形してなることを特徴とする。【選択図】図１
0003124384.tif 000002
【実用新案登録請求の範囲】
【請求項１】
ポリオレフィン系合成樹脂を素材とする熱可塑性軟質合成樹脂シート１を用い、該熱可塑性軟質合成樹脂シート１におけるシート面上の所定部位に、商品、イラスト、人物、キャラクター、文字、記号等の所望の立体物が固有する立体造形を立体的に転写具現して立体的加工成形部３を凸状成形してなることを特徴とする立体的広告等表示用具。
【請求項２】
ポリオレフィン系合成樹脂を素材とする熱可塑性軟質合成樹脂シート１を用い、該熱可塑性軟質合成樹脂シート１におけるシート面上の所定部位に、商品、イラスト、人物、キャラクター、文字、記号等の所望の立体物の画像を印刷表示した画像印刷部２を形成すると共に該画像印刷部２を当該立体物が固有する立体造形を立体的に転写具現して立体的成形部３を凸状成形してなることを特徴とする立体的広告等表示用具。
【考案の詳細な説明】
【技術分野】
【０００１】
本考案は、商品、イラスト、人物、キャラクター、文字、記号等の所望立体物が固有する立体造形たる形態を立体的に転写具現して、当該立体物を視覚的に実在感を以って本物そっくりにリアルに立体表現する立体的広告等表示用具に関するものである。
【背景技術】
【０００２】
従来、特徴的な三次元的造形を具有する商品、イラスト、人物、キャラクター、文字、記号等の立体物を紙面上に表現して広告宣伝に供用せんとする場合、当該立体物を写真撮影して得た画像を紙面上に印刷して平面的表現の広告宣伝用印刷物となして、これを配布、
表示、展示等するのが一般である。
【０００３】
然しながら、かかる従来一般の広告宣伝用印刷物にあっては、従来在り来りな平面的な二次元的表現に過ぎないものであることから、商品、キャラクター等の立体物が固有する特徴的な立体造形を実在感を以って印象深く感得させて視覚的な広告宣伝等の告知効果を高めることは現実にはきわめて実現困難なことであった。
【特許文献１】特開平０９−１６５０４５号公報
【考案の開示】
【考案が解決しようとする課題】
【０００４】
本考案が解決しようとする課題は、商品、イラスト、人物、キャラクター、文字、記号等の所望の立体物の固有する特徴的な立体造形を視覚的にリアルに三次元的な実在感を以って実物そっくりに印象深く感得させることのできるように当該所望の立体物の形態を立体的に表現して、きわめて高い広告宣伝等の告知効果を期待し得る新規な立体的広告等表示用具を提供することである。
【課題を解決するための手段】
【０００５】
上記目的を達成するための本考案の構成を図面を用いて説明すると、本考案に係る第一の立体的広告等表示用具は、ポリオレフィン系合成樹脂を素材とする熱可塑性軟質合成樹脂シート１を用い、該熱可塑性軟質合成樹脂シート１におけるシート面上の所定部位に、
商品、イラスト、人物、キャラクター、文字、記号等の所望の立体物が固有する立体造形を立体的に転写具現して立体的加工成形部３を凸状成形してなることを最も特徴とするものである。
【０００６】
第二の立体的広告等表示用具は、ポリオレフィン系合成樹脂を素材とする熱可塑性軟質合成樹脂シート１を用い、該熱可塑性軟質合成樹脂シート１におけるシート面上の所定部位に、商品、イラスト、人物、キャラクター、文字、記号等の所望の立体物の画像を印刷表示した画像印刷部２を形成すると共に該画像印刷部２を当該立体物が固有する立体造形を立体的に転写具現して立体的成形部３を凸状成形してなることを最も特徴とするものである。
【考案の効果】
【０００７】
商品、イラスト、人物、キャラクター、文字、記号  商品等の所望の立体物の固有する特徴的な立体造形を軟質シート上に立体的に凸設して立体表現できることから、看者に対して、当該所望の立体物の立体的形態を視覚的にリアルに三次元的な実在感を以って本物そっくりに印象深く感得させることができて、立体ポスター、立体案内図、立体教材等としてきわめて効率よく高い広告宣伝等の告知効果を奏することができる。
【０００８】
また、ポリオレフィン系合成樹脂からなる軟質素材からなるものであるから、柔軟性を有し丸めたり軽く折畳むこともでき、携帯に利便であると共に電車内等での吊下げ広告等に使用するにも好適であり、接触者に危害を及ぼすおそれもなく安全性に優れる。更に、ポリオレフィン系の軟質系非塩ビ素材であることから、ダイオキシンの発生要因となる塩素、塩素ガスの発生もなく、環境にやさしいと共に耐水性に優れ、雨水に曝される屋外での掲出も可能である等の多くの実用的効果をも奏する。
【考案を実施するための最良の形態】
【０００９】
本考案の実施の形態について、以下に実施例に基づき図面を参照して説明する。
【実施例】
【００１０】
先ず、商品、イラスト、人物、キャラクター、文字、記号等の所望の立体物が、それ自体の固有の色彩、模様等を有する場合において、当該立体物を写真撮影してその画像を得る。
【００１１】
そして、エマソフト（商品名）等のポリオレフィン系合成樹脂を素材とする熱可塑性の軟質合成樹脂シート１のシート表面上の印刷予定部位にコロナ放電加工を施し、該印刷予定部位のシート表面をまず粗面化する。
【００１２】
このようにして軟質合成樹脂シート１におけるシート表面上の粗面化してなる印刷予定部位にオフセット印刷、シルク印刷、グラビア印刷等の任意の印刷手法を用いて前記した所望の立体物の画像の印刷を施す。これにより、軟質合成樹脂シート１におけるシート表面上の所定部位に所望の立体物の画像印刷部２を表示形成する。
【００１３】
他方、前記所望の立体物が固有するそれ自体の立体造形を石膏、木材、金属、或いは、エポキシ樹脂、フェノール樹脂等の熱可塑性樹脂、その他の任意の素材を用いて立体転写してなる立体物模型（図示省略）を別途に成型する。該立体物模型は凸型、凹型いずれの手段を用いても成形加工することが可能である。
【００１４】
そして、前記した所望の立体物の画像印刷を施してなる軟質合成樹脂シート１を加熱した上で、該加熱してなる軟質合成樹脂シート１における前記の画像印刷部２を、前記した立体物模型の外面に真空成形によって吸い付け、又は、加熱プレスで押しつける等の適宜な成形手法を用いて、これにより、画像印刷部２に当該立体物の立体造形をそのまま立体的に転写具現して立体的成形部３を凸状に成形加工する。
【００１５】
このようにして凸状に成形加工してなる立体的成形部３は、その表面に当該立体物自体の写真撮影等による画像が印刷されており、その上でシート表面上に２０ｍｍ〜３０ｍｍ程度の凸状の立体加工を施すことができ、軟質合成樹脂シート１上に本物そっくりの立体的表現を具現することができる。
【００１６】
商品、イラスト、人物、キャラクター、文字、記号等の所望の立体物がモノトーンの単一色にて色彩、模様が不要な場合には、上記した実施例における軟質合成樹脂シート１のシート表面上を粗面化するために施すコロナ放電加工、更に、画像印刷部２を表示形成するために施す所望の立体物の画像の印刷表示の両者を省略して、直接に軟質合成樹脂シート１における所定部位に前記手段を用いて立体的成形部３を凸状に成形加工することも可能である。
【図面の簡単な説明】
【００１７】
【図１】本考案の立体的広告等表示用具の実施例を示す側方視斜視図である。
【図２】本考案の立体的広告等表示用具の実施例を示す前方視斜視図である。
【符号の説明】
【００１８】
１    軟質合成樹脂シート
２    画像印刷部
３    立体的成形部
【図１】
0003124384.tif 000003
【図２】
0003124384.tif 000004
【手続補正書】
【提出日】平成18年6月5日(2006.6.5)
【手続補正１】
【補正対象書類名】実用新案登録請求の範囲
【補正対象項目名】全文
【補正方法】変更
【補正の内容】
【実用新案登録請求の範囲】
【請求項１】
ポリオレフィン系合成樹脂を素材とする熱可塑性軟質合成樹脂シート１を用い、該熱可塑性軟質合成樹脂シート１におけるシート面上の所定部位に、商品、イラスト、人物、キャラクター、文字、記号等の所望の立体物が固有する立体造形を立体的に転写具現して立体的加工成形部３を凸状成形してなることを特徴とする軟質立体的広告等表示用具。
【請求項２】
ポリオレフィン系合成樹脂を素材とする熱可塑性軟質合成樹脂シート１を用い、該熱可塑性軟質合成樹脂シート１におけるシート面上の所定部位に、商品、イラスト、人物、キャラクター、文字、記号等の所望の立体物の画像を印刷表示した画像印刷部２を形成すると共に該画像印刷部２を当該立体物が固有する立体造形を立体的に転写具現して立体的成形部３を凸状成形してなることを特徴とする軟質立体的広告等表示用具。
【手続補正２】
【補正対象書類名】明細書
【補正対象項目名】全文
【補正方法】変更
【補正の内容】
【考案の詳細な説明】
【技術分野】
【０００１】
本考案は、商品、イラスト、人物、キャラクター、文字、記号等の所望立体物が固有する立体造形たる形態を立体的に転写具現して、当該立体物を視覚的に実在感を以って本物そっくりにリアルに軟質で立体表現する軟質立体的広告等表示用具に関するものである。
【背景技術】
【０００２】
従来、特徴的な三次元的造形を具有する商品、イラスト、人物、キャラクター、文字、記号等の立体物を紙面上に表現して広告宣伝に供用せんとする場合、当該立体物を写真撮影して得た画像を紙面上に印刷して平面的表現の広告宣伝用印刷物となして、これを配布、
表示、展示等するのが一般である。
【０００３】
然しながら、かかる従来一般の広告宣伝用印刷物にあっては、従来在り来りな平面的な二次元的表現に過ぎないものであることから、商品、キャラクター等の立体物が固有する特徴的な立体造形を実在感を以って印象深く感得させて視覚的な広告宣伝等の告知効果を高めることは現実にはきわめて実現困難なことであった。
【特許文献１】特開平０９−１６５０４５号公報
【考案の開示】
【考案が解決しようとする課題】
【０００４】
本考案が解決しようとする課題は、商品、イラスト、人物、キャラクター、文字、記号等の所望の立体物の固有する特徴的な立体造形を視覚的にリアルに三次元的な実在感を以って実物そっくりに印象深く感得させることのできるように当該所望の立体物の形態を軟質で立体的に表現して、きわめて高い広告宣伝等の告知効果を期待し得る新規な軟質立体的広告等表示用具を提供することである。
【課題を解決するための手段】
【０００５】
上記目的を達成するための本考案の構成を図面を用いて説明すると、本考案に係る第一の軟質立体的広告等表示用具は、ポリオレフィン系合成樹脂を素材とする熱可塑性軟質合成樹脂シート１を用い、該熱可塑性軟質合成樹脂シート１におけるシート面上の所定部位に、商品、イラスト、人物、キャラクター、文字、記号等の所望の立体物が固有する立体造形を立体的に転写具現して立体的加工成形部３を凸状成形してなることを最も特徴とするものである。
【０００６】
第二の軟質立体的広告等表示用具は、ポリオレフィン系合成樹脂を素材とする熱可塑性軟質合成樹脂シート１を用い、該熱可塑性軟質合成樹脂シート１におけるシート面上の所定部位に、商品、イラスト、人物、キャラクター、文字、記号等の所望の立体物の画像を印刷表示した画像印刷部２を形成すると共に該画像印刷部２を当該立体物が固有する立体造形を立体的に転写具現して立体的成形部３を凸状成形してなることを最も特徴とするものである。
【考案の効果】
【０００７】
商品、イラスト、人物、キャラクター、文字、記号  商品等の所望の立体物の固有する特徴的な立体造形を軟質シート上に立体的に凸設して軟質で立体表現できることから、看者に対して、当該所望の立体物の立体的形態を視覚的にリアルに三次元的な実在感を以って本物そっくりに印象深く感得させることができて、立体ポスター、立体案内図、立体教材等としてきわめて効率よく高い広告宣伝等の告知効果を奏することができる。
【０００８】
また、ポリオレフィン系合成樹脂からなる軟質素材からなるものであるから、柔軟性を有し丸めたり軽く折畳むこともでき、携帯に利便であると共に電車内等での吊下げ広告等に使用するにも好適であり、接触者に危害を及ぼすおそれもなく安全性に優れる。更に、ポリオレフィン系の軟質系非塩ビ素材であることから、ダイオキシンの発生要因となる塩素、塩素ガスの発生もなく、環境にやさしいと共に耐水性に優れ、雨水に曝される屋外での掲出も可能である等の多くの実用的効果をも奏する。
【考案を実施するための最良の形態】
【０００９】
本考案の実施の形態について、以下に実施例に基づき図面を参照して説明する。
【実施例】
【００１０】
先ず、商品、イラスト、人物、キャラクター、文字、記号等の所望の立体物が、それ自体の固有の色彩、模様等を有する場合において、当該立体物を写真撮影してその画像を得る。
【００１１】
そして、エマソフト（商品名）等のポリオレフィン系合成樹脂を素材とする熱可塑性の軟質合成樹脂シート１のシート表面上の印刷予定部位にコロナ放電加工を施し、該印刷予定部位のシート表面をまず粗面化する。
【００１２】
このようにして軟質合成樹脂シート１におけるシート表面上の粗面化してなる印刷予定部位にオフセット印刷、シルク印刷、グラビア印刷等の任意の印刷手法を用いて前記した所望の立体物の画像の印刷を施す。これにより、軟質合成樹脂シート１におけるシート表面上の所定部位に所望の立体物の画像印刷部２を表示形成する。
【００１３】
他方、前記所望の立体物が固有するそれ自体の立体造形を石膏、木材、金属、或いは、エポキシ樹脂、フェノール樹脂等の熱可塑性樹脂、その他の任意の素材を用いて立体転写してなる立体物模型（図示省略）を別途に成型する。該立体物模型は凸型、凹型いずれの手段を用いても成形加工することが可能である。
【００１４】
そして、前記した所望の立体物の画像印刷を施してなる軟質合成樹脂シート１を加熱した上で、該加熱してなる軟質合成樹脂シート１における前記の画像印刷部２を、前記した立体物模型の外面に真空成形によって吸い付け、又は、加熱プレスで押しつける等の適宜な成形手法を用いて、これにより、画像印刷部２に当該立体物の立体造形をそのまま立体的に転写具現して立体的成形部３を凸状に成形加工する。
【００１５】
このようにして凸状に成形加工してなる立体的成形部３は、その表面に当該立体物自体の写真撮影等による画像が印刷されており、その上でシート表面上に２０ｍｍ〜３０ｍｍ程度の凸状の立体加工を施すことができ、軟質合成樹脂シート１上に本物そっくりの立体的表現を具現することができる。
【００１６】
商品、イラスト、人物、キャラクター、文字、記号等の所望の立体物がモノトーンの単一色にて色彩、模様が不要な場合には、上記した実施例における軟質合成樹脂シート１のシート表面上を粗面化するために施すコロナ放電加工、更に、画像印刷部２を表示形成するために施す所望の立体物の画像の印刷表示の両者を省略して、直接に軟質合成樹脂シート１における所定部位に前記手段を用いて立体的成形部３を凸状に成形加工することも可能である。
【図面の簡単な説明】
【００１７】
【図１】本考案の軟質立体的広告等表示用具の実施例を示す側方視斜視図である。
【図２】本考案の軟質立体的広告等表示用具の実施例を示す前方視斜視図である。
【符号の説明】
【００１８】
１    軟質合成樹脂シート
２    画像印刷部
３    立体的成形部
【手続補正書】
【提出日】平成18年6月15日(2006.6.15)
【手続補正１】
【補正対象書類名】明細書
【補正対象項目名】００１１
【補正方法】変更
【補正の内容】
【００１１】
そして、エマソフト（登録商標）等のポリオレフィン系合成樹脂を素材とする熱可塑性の軟質合成樹脂シート１のシート表面上の印刷予定部位にコロナ放電加工を施し、該印刷予定部位のシート表面をまず粗面化する。